(57)【要約】【課題】複雑な防水構造を必要とせず、防水性を確保することができるラッチを用いたキャビネットの鎖錠構造を提供する。【解決手段】キャビネットの扉に取り付けられるキャビネットの鎖錠構造である。キャビネット内部に位置し、鎖錠方向に付勢されているラッチ金具１２と、キャビネット内部にラッチ金具から独立して配置されている鎖錠部２０と、キャビネット内部でこの鎖錠部２０に設けられ、扉２の外側からの操作により、ラッチ金具１２を開錠方向に動かす止め金２１とを備える。【選択図】図４
2019157444.tif 000002
【特許請求の範囲】
【請求項１】
キャビネットの扉に取り付けられるキャビネットの鎖錠構造であって、
キャビネット内部に位置し、鎖錠方向に付勢されているラッチ金具と、
キャビネット内部に、ラッチ金具から独立して配置されている鎖錠部と、
この鎖錠部に設けられ、扉の外側からの鎖錠部の操作により、ラッチ金具を開錠方向に動かす止め金とを備えることを特徴とするキャビネットの鎖錠構造。
【請求項２】
鎖錠部は、キャビネット内部で操作される内部操作部と、この内部操作部の操作により動作し、止め金の動作を規制する規制部とを備えることを特徴とする請求項１に記載のキャビネットの鎖錠構造。
【請求項３】
内部操作部は、止め金とラッチ金具との係合を解除する機能を持つことを特徴とする請求項２に記載のキャビネットの鎖錠構造。
【請求項４】
内部操作部は、止め金とラッチ金具との係合を防止する保持金具を備えることを特徴とする請求項３に記載のキャビネットの鎖錠構造。
【発明の詳細な説明】
【技術分野】
【０００１】
本発明は、屋外に設置されることがあるキャビネットの鎖錠構造に関するものであり、特に鎖錠手段としてラッチを用いたキャビネットの鎖錠構造に関するものである。
【背景技術】
【０００２】
宅配ボックスに代表されるキャビネットは屋外に設置されることがあるため、防水機能を持たせることが望まれる。またこのようなキャビネットは、初期状態では扉を自由に開くことができるが、鎖錠した後は鍵を持っている者にしか開けないようにする鎖錠構造を必要としている。
【０００３】
鎖錠手段としてラッチを用いたボックスは、特許文献１に示されるように従来から知られている。特許文献１ではその図５に示されるように、ラッチは扉の内面に取り付けられており、扉の外面に配置された鎖錠セットボタンのスライド操作により移動し、鎖錠・開錠できる構造となっている。このように従来のラッチ式の鎖錠構造は、ラッチを操作するための大型の開口を扉に形成する必要があるため防水性に問題があり、防水性を確保するためには複雑な防水構造を必要とするという問題があった。
【先行技術文献】
【特許文献】
【０００４】
【特許文献１】特開平７−２８６４５８号公報
【発明の概要】
【発明が解決しようとする課題】
【０００５】
従って本発明の目的は上記した従来の問題点を解決し、複雑な防水構造を必要とせず、防水性を確保することができるラッチを用いたキャビネットの鎖錠構造を提供することである。
【課題を解決するための手段】
【０００６】
上記の課題を解決するためになされた本発明は、キャビネットの扉に取り付けられるキャビネットの鎖錠構造であって、キャビネット内部に位置し、鎖錠方向に付勢されているラッチ金具と、キャビネット内部に、ラッチ金具から独立して配置されている鎖錠部と、キャビネット内部でこの鎖錠部に設けられ、扉の外側からの鎖錠部の操作により、ラッチ金具を開錠方向に動かす止め金とを備えることを特徴とするものである。
【０００７】
なお請求項２のように、鎖錠部は、キャビネット内部で操作される内部操作部と、この内部操作部の操作により動作し、止め金の動作を規制する規制部とを備えることが好ましい。また請求項３のように、内部操作部は、止め金とラッチ金具との係合を解除する機能を持つことが好ましい。さらに請求項４のように、内部操作部は、止め金とラッチ金具との係合を防止する保持金具を備えることが好ましい。
【発明の効果】
【０００８】
請求項１の発明によれば、ラッチ金具と鎖錠部とを独立させたので、鎖錠部を回転式とすることができ、簡単な防水構造を採用することができる。
【０００９】
請求項２の発明によれば、扉を開いて内部操作部を操作することにより、止め金がラッチ金具に係合できないようにすることができる。このためそのまま扉を閉じたときに、ハンドル操作によって止め金によりラッチ金具を回動させることができなくなり、開錠を防止することができる。
【００１０】
請求項３の発明によれば、内部操作部を操作するだけで止め金とラッチ金具との係合状態を解除することができる。
【００１１】
請求項４の発明によれば、内部操作部を操作するだけで、止め金が再度ラッチ金具と係合することを防止することができる。
【図面の簡単な説明】
【００１２】
【図１】実施形態のキャビネットの外観斜視図である。
【図２】扉を開いた状態の外観斜視図である。
【図３】扉の裏面側を示す斜視図である。
【図４】内部構造を示す斜視図である。
【図５】鎖錠部の分解斜視図である。
【図６】初期状態を示す斜視図である。
【図７】初期状態を示す他方向からの斜視図である。
【図８】ハンドル操作した状態を示す斜視図である。
【図９】ハンドル操作した状態を示す他方向からの斜視図である。
【図１０】内部操作部を操作した後の斜視図である。
【図１１】内部操作部を操作した後の他方向からの斜視図である。
【図１２】捺印状態を示す斜視図である。
【図１３】捺印状態を示す他方向からの斜視図である。
【図１４】開錠状態を示す斜視図である。
【図１５】開錠状態を示す他方向からの斜視図である。
【発明を実施するための形態】
【００１３】
以下に本発明の実施形態を説明する。
図１は実施形態のキャビネットの外観斜視図、図２は扉を開いた状態の外観斜視図、図３は扉を開き扉の裏面側を示す斜視図、図４はカバーを外して内部構造を示す斜視図である。
【００１４】
これらの図において、１はキャビネット本体、２はキャビネット本体１の開口部に蝶番によって枢着された扉である。扉２の外側にはハンドル３が設けられている。また扉２の外側には、鍵４の一部とインジケータ５とが現われている。キャビネット本体１の開口部の内側には、後述するラッチ金具１２を受ける係止金具６が設けられている。以下に実施形態の鎖錠構造を詳細に説明する。
【００１５】
（全体構造）
図６は鎖錠状態を示す要部の斜視図であり、図３に示されるカバー７は省略されている。また、キャビネット本体１の係止金具６も省略されている。図７は図６と同じ状態を異なる角度から見た斜視図である。また図５は、分解斜視図である。
【００１６】
（ラッチ金具）
これらの図において、１０は扉２の裏面、すなわちキャビネットの内部に、溶接またはネジ止めにより固定された本体部である。本体部１０の上端部には、垂直軸１１によってラッチ金具１２が回動可能に設けられている。図７に示すように、ラッチ金具１２は垂直軸１１に設けられたつるまきバネ１３によって、前記した係止金具６と係合する方向、すなわち鎖錠方向に常に付勢されている。ラッチ金具１２の係止金具６側とは反対側の端部１４は折り曲げられており、ラッチ金具１２を開錠方向に回動させる際に用いられる。
【００１７】
本体部１０には以下に説明する鎖錠部２０が設けられている。本実施形態ではラッチ金具１２と鎖錠部２０とは共通の本体部１０に設けられているが、両者は独立したものであり、ラッチ金具１２は必ずしも本体部１０に設ける必要はない。
【００１８】
（鎖錠部）
鎖錠部２０は、上記したラッチ金具１２を開錠方向に動かす止め金２１と、キャビネット本体１の内部で操作される内部操作部２２と、この内部操作部２２の操作により動作し、止め金２１の動作を規制する規制部２３とを備えている。
【００１９】
（止め金）
本体部１０の上端部のラッチ金具１２に隣接する位置には、止め金２１が設けられている。止め金２１は前記したハンドル３の軸２４に固定されており、扉２の外面でハンドル３を操作することにより回転する。止め金２１はハンドル３の軸２４に対して垂直な回転面に対して傾斜させてあり、軸２４を回転させると図８に示すようにラッチ金具１２の端部１４を扉２の方向に押さえ付け、つるまきバネ１３に抗してラッチ金具１２を開錠する方向に回動させることができる。軸２４は扉２を貫通しているが、回転するだけであるから複雑な防水構造を必要とせず、防水性を確保することができる。
【００２０】
（内部操作部）
本体部１０には、内部操作部２２が設けられている。本実施形態では内部操作部２２は本体部１０に対して昇降可能な部材である。この内部操作部２２は本体部１０の左右の折曲辺２５に形成された上下方向の長溝２６に、内部操作部２２の左右に突設されたガイドピン２７をスライド自在に係合させ、昇降可能となっている。内部操作部２２はバネ２８により常に上向きに付勢されているが、扉２を開いた状態においては上端の押圧部２９を押圧することにより、バネ２８に抗して押し下げ操作を作ることができる。
【００２１】
内部操作部２２には内部操作部２２を下降位置に保持するための保持金具３０が設けられている。保持金具３０は斜め上向きに延びる板状体であり、水平軸３１により回動可能に支持されているが、つるまきバネ３２と付勢されることにより、図６に示される斜め位置に保持されている。しかし外力を受ければつるまきバネ３２により回転可能である。
【００２２】
本体部１０の下部には、フック状の保持部３３が設けられている。この保持部３３は扉２の鍵４によって回転させることができるものであるが、常時は図５に示すように保持金具３０の下方で直立した位置にある。内部操作部２２が下方に押し下げられると、保持金具３０はフック状の保持部３３の斜面３４に押され、つるまきバネ３２に抗して回動しながら図１０に示すようにフック状の保持部３３の下側に入る。この状態では保持金具３０は上昇できないので、内部操作部２２を下降位置に保持することができる。
【００２３】
（規制部）
内部操作部２２の上端には、規制部２３が設けられている。規制部２３は扉の内側方向にＬ字状に折り曲げられた部材からなり、止め金２１と扉２との間に位置している。図５、図６に示す鎖錠状態では規制部２３は止め金２１の側方上方位置にあり、止め金２１と接触していない。しかし内部操作部２２が図１０、図１１のように下方に押し下げられると、規制部２３は止め金２１の側方に位置し、止め金２１をラッチ金具１２の方向に動かすことができなくなる。
【００２４】
（捺印手段）
本実施形態のキャビネットは宅配ボックスであるので、内部操作部１０の下部には捺印手段３５が下向きに取り付けられている。宅配伝票を本体部１０の下部の水平部３６に置き、内部操作部２２を下降させると捺印することができる。なお図８の状態では捺印手段３５の下方に宅配伝票を挿入可能な隙間があり、その状態からさらに図１０のように内部操作部１０とともに捺印手段３５を下降させて捺印する。このため、もし捺印ミスが生じた場合であっても再度捺印が可能である。
【００２５】
（操作手順）
上記のように構成されたキャビネットの鎖錠構造の操作手順は、次の通りである。
【００２６】
（初期状態）
図６、図７に初期状態を示す。この状態では内部操作部２２はバネ２８によって上方に引き上げられており、内部操作部２２の上端の規制部２３は止め金２１より上方位置にある。ラッチ金具１２はつるまきバネ１３によってキャビネット本体１の係止金具６と係合しているので、このままでは扉２を開くことはできない。しかし宅配業者等が扉２の外側のハンドル３を操作すると、止め金２１は前記したハンドル３の軸２４により回動され、図８、図９に示すようにラッチ金具１２の端部１４が止め金２１により押圧される。この結果、ラッチ金具１２は扉２から離れる方向に回動され、係止金具６との係合が解除される。このため扉２を開くことが可能となる。また、ハンドル３を戻すことにより再び開扉することはできない。
【００２７】
（開扉状態）
宅配業者等は扉２を開いて宅配物をキャビネット内に入れた後、宅配伝票を本体部１０の下部の水平部３６に置き、内部操作部２２を押し下げて捺印手段３５による捺印を行う。内部操作部２２を押し下げると図９、図１１に示すように内部操作部２２の保持金具３０がフック状の保持部３３の下側に入る。このため内部操作部２２は上昇できなくなり、下降位置に留まる。なお、更に内部操作部２２を押し下げることは可能であるので、適正位置に捺印できなかった場合には、前述した通り図１２、図１３のように再度捺印することが可能である。
【００２８】
（鎖錠状態）
また、上記のように内部操作部２２を押し下げると、内部操作部２２の上端の規制部２３が止め金２１を押し下げながら止め金２１の側方に位置し、止め金２１をラッチ金具１２の方向に動かすことができなくなる。この状態で扉２を閉じると、ラッチ金具１２はつるまきバネ１３によって鎖錠方向に戻されているので、キャビネット本体１の係止金具６と係合して鎖錠状態となる。この鎖錠状態ではハンドル３を操作しようとしても、止め金２１の動きが規制部２３によって規制されているので、外側から扉２を開くことができない。しかし扉２の内側からは、ラッチ金具１２を操作して容易に鎖錠状態を解除できるので、誤って子供がキャビネット本体１の内部に閉じ込められたような場合にも、脱出可能である。なお、ハンドル３を戻していなかったとしても規制部２３が止め金２１を押し下げる。
【００２９】
（開錠状態）
開錠するためには、扉２の鍵４から鍵を差し込んで軸４５を回転させ、フック状の保持部３３を図１４、図１５のように保持金具３０から離れる方向に倒す。これによりフック状の保持部３３と保持金具３０との係合が解除され、内部操作部２２はバネ２８によって上方に引き上げられ、図６、図７の初期状態に戻る。このため規制部２３による止め金２１の回転規制も解除され、ハンドル３を操作して扉２を開き、内部の宅配物を取り出すことが可能となる。なお、鍵４は、回した後からは抜けないように、一方向から挿脱する一点抜きが好ましい。
【００３０】
（変形例）
上記の実施形態では内部操作部２２を昇降式としたが、内部操作部２２を回動式とすることも可能である。また鍵４に取り付けられる錠はシリンダ錠であっても、その他の形式の錠としても差し支えない。
【００３１】
（実施形態の効果）
上記の実施形態においては、扉２を貫通させる必要があるのはハンドル３の軸２４と、鍵により操作される軸４５のみであり、扉２の内面に独立させて設けられているラッチ金具１２の部分には、貫通孔はない。このため複雑な防水構造を必要とせず、防水性を確保することができる。
【符号の説明】
【００３２】
１  キャビネット本体
２  扉
３  ハンドル
４  鍵
５  インジケータ
６  係止金具
７  カバー
１０  本体部
１１  垂直軸
１２  ラッチ金具
１３  つるまきバネ
１４  端部
２０  鎖錠部
２１  止め金
２２  内部操作部
２３  規制部
２４  軸
２５  折曲辺
２６  長溝
２７  ガイドピン
２８  ばね
２９  押圧部
３０  保持金具
３１  水平軸
３２  つるまきバネ
３３  フック状の保持部
３４  斜面
３５  捺印手段
３６  水平部
【図１】
2019157444.tif 000003
【図２】
2019157444.tif 000004
【図３】
2019157444.tif 000005
【図４】
2019157444.tif 000006
【図５】
2019157444.tif 000007
【図６】
2019157444.tif 000008
【図７】
2019157444.tif 000009
【図８】
2019157444.tif 000010
【図９】
2019157444.tif 000011
【図１０】
2019157444.tif 000012
【図１１】
2019157444.tif 000013
【図１２】
2019157444.tif 000014
【図１３】
2019157444.tif 000015
【図１４】
2019157444.tif 000016
【図１５】
2019157444.tif 000017